(57)【要約】【目的】  今日、目盛りはテープ裏面にも表示されており、その表示保護のためにテープ表面には被覆が設けられている。しかしながら、テープの出入りの際は特にその裏面がケース部材、また、衝撃緩衝部材と摺動しているため被覆が損傷する。このことから、被覆の損傷を防止できる巻尺を提供することを目的とする。【解決手段】  ケース１のテープ出入口１ｆに、緩衝性を有した回転可能な弾性体２を設け、その弾性体２がテープ１ｄの裏面と接触した際に、テープ１ｄの進行に合わせて回転できるようにする。これにより、テープの出入りの際の摺動は防止され、さらには、弾性体２は衝撃緩衝装置としても働く。【選択図】  図１
2007003466.tif 000002
【特許請求の範囲】
【請求項１】
ケース内に、テープを周囲に巻回し且つそのテープを巻き込み方向に付勢する付勢手段が内装された回転ドラムを支持する巻尺において、ケースのテープ出入口に緩衝性を有する回転部材が設けられており、その回転部材はテープ裏面と接触でき且つ接触した際に回転できるようになっていることを特徴とする巻尺
【請求項２】
回転部材の少なくともテープとの接触面がテープの短手方向とほぼ同じ形状になっていることを特徴とする請求項１の巻尺
【請求項３】
回転部材の端部に鍔が設けられており、且つテープが回転部材に接触した際にテープ短手方向の端部より突出することを特徴とする請求項１の巻尺
【請求項４】
回転部材が交換可能に設けられていることを特徴とする請求項１の巻尺
【請求項５】
回転部材がコイルスプリングから形成されていることを特徴とする請求項１の巻尺
【請求項６】
コイルスプリングの隣接するコイルの間に任意の空間が設けられていることを特徴とする請求項５の巻尺
【請求項７】
コイルスプリングはその両端を回転自在に支持された支持部材に係止されていることを特徴とする請求項５の巻尺
【請求項８】
コイルスプリングはその中心を通過する軸とコイルの間に任意の空間が設けられていることを特徴とする請求項５の巻尺
【請求項９】
コイルスプリングの少なくともテープとの接触面がテープの短手方向とほぼ同じ形状になっていることを特徴とする請求項５の巻尺
【請求項１０】
コイルスプリングはその中心を通過する軸と最小径部のコイルが近接または接触していることを特徴とする請求項９の巻尺
【請求項１１】
コイルスプリング端部のコイルが、テープがコイルスプリングに接触した際にテープ短手方向の端部より突出する径であることを特徴とする請求項５の巻尺
【請求項１２】
第２の回転部材がテープの上方に設けられており、その第２の回転部材がテープ表面と接触でき且つ接触した際に回転できるようになっていることを特徴とする請求項１の巻尺
【請求項１３】
第２の回転部材が弾発的にテープ表面と接触していることを特徴とする請求項１２の巻尺
【請求項１４】
第３の回転部材がテープの側方に設けられており、その第３の回転部材がテープの長手方向端部と接触でき且つ接触した際に回転できるようになっていることを特徴とする請求項１の巻尺
【請求項１５】
巻尺の所定の部位が摩擦低減素材から形成されていることを特徴とする請求項１の巻尺
【請求項１６】
摩擦低減素材が、少なくとも回転ドラムの支持軸、回転ドラム、回転ドラムの支持軸と回転ドラムとの間、回転ドラムとケース内壁との間に、且つそれらを任意に組み合わせてなることを特徴とする請求項１の巻尺
【請求項１７】
付勢手段が低トルクバネからなることを特徴とする請求項１の巻尺
【発明の詳細な説明】
【技術分野】
【０００１】
本発明は、テープの引き出しまたは巻き取り操作により、そのテープ自体に生ずる損傷を防止した巻尺に関するものである。
【背景技術】
【０００２】
今日、内装するコイルバネによりテープをケース内に自動的に巻き取る自動巻き取り式の巻尺が多く用いられており、測定の際は、ケースのテープ出入口に係止されているテープ先端フックを持ってテープをケース内から引き出して測定が行われる。そして、測定の終了と共にテープの保持を解除することにより、テープはコイルバネの付勢力によってケース内に自動的に巻き取られる。
【０００３】
そのテープは、ケース内からの引き出しの際やケース内への自動巻き取りの際に、テープ出入口のケース部材、また、テープ出入口に設けられているテープ先端係止片の衝突エネルギーを緩和する衝撃緩衝部材と摺動することがある。その摺動部位は特にテープ裏面すなわちテープ先端に設けられるフックの突出方向の面であり、その裏面がケース部材また衝撃緩衝部材と摺動するのである。また、巻尺の構造によってはテープ側端部も摺動する。そして、従来、この摺動を防止するための特に機械的な装置は巻尺には装備されていないのである。
【発明の開示】
【発明が解決しようとする課題】
【０００４】
この摺動が続発すると、目盛りの薄化を防止するためにテープ表面を覆っている被覆が損傷し、その損傷が進行するとテープ面を覆っている被覆までもが剥離してしまう。そして、テープ面の被覆が剥離することによりそのテープ面に表示されている目盛りが露出し、その目盛りは巻尺が使用される毎に薄化が増進されてしまうのである。
【０００５】
特に、近年ではテープの裏面に特殊測定用の専用目盛りやマーク等が表示されているので、テープ裏面の目盛りは表面の目盛り以上に重要な役割を果たすものとなっているのである。
従って、本発明は上述した問題点に鑑みてなされたもので、被覆の損傷を防止できる装置を設けた巻尺を提供することを目的とするものである。
【課題を解決するための手段】
【０００６】
本発明の要旨とするところは、ケース内に、テープを周囲に巻回し且つそのテープを巻き込み方向に付勢する付勢手段が内装された回転ドラムを支持する巻尺において、ケースのテープ出入口に緩衝性を有する回転部材が設けられており、その回転部材はテープ裏面と接触でき且つ接触した際に回転できるようになっていることを特徴とする巻尺である。
【０００７】
本発明の巻尺を詳しく説明すると、ケースとは、測定用のテープを収容する部材であり巻尺の本体でもある。ケースは、所望の形状に適宜形成された樹脂素材から形成されており、その内部に回転ドラムが回転自在に支持されている。回転ドラムの支持は、普通、軸によって行われ、その軸はケース内の側壁に立設されている。その軸にメモリが印刷された測定用のテープを周囲に巻回した回転ドラムが軸支されている。また、その回転ドラムの内部にはテープを巻き取るためのコイル状の巻き取りバネが設けられ、テープは巻き取り方向に付勢されている。
そして、ケースは成形性に優れた樹脂素材を用いて一体的に成型されるものに限定されるものではなく、金属素材等の他の素材を用いてなるケースでもよい。
【０００８】
軸は、前述のようにケース内側壁に立設されるが、その立設の形態は収容するテープの長さや幅また素材等によって適切な構造また方法で立設されている。
具体的な立設の一例としては、軸の一端面または両端面に雌ネジを螺刻し、その雌ネジにケース外方から雄ネジがケースの側壁に有する通孔を通過して螺着することによって軸をケース内側壁に固定させ且つ立設させている。
また、軸をケース成型の際に、ケースと共に一体的に成型することによって軸をケース内側壁に立設させている。
【０００９】
緩衝性を有する回転部材とは、軸支や遊嵌等の任意の形態によって回転できるように構成されている部材であり、その回転部材は、テープ裏面と接触でき且つ接触した際に回転できるようにする。そして、接触できとは、テープが停止している際は接触していない状態で、テープが進退移動を開始した時に接触状態となることも含む。勿論、接触できとうことは、当初からテープが回転部材に接触している状態も含むものである。
【００１０】
そして、接触した際には回転できるようにする。その回転部材とは、円柱の両端面中央に突起を形成し、その突起をケースの受け部に嵌めるようにした回転体本体だけで構成したものであっても、また、片側のケース（半ケース）に立設した軸あるいはケースの両側に架設した軸に円柱状の回転部材を支持させた形態のものであってもよい。また、回転部材は回転体だけを指すものではなく、回転をする回転体とその回転体を支持する部材あるいは必要に応じて付加された部材を含めたものも含まれる。回転部材は、回転体だけ回転するものでも、また、回転体を支持する例えば軸ごと回転するものでもよい。
【００１１】
また、回転部材はこれらの形態に限定されるものではなく、所望の形態で構成すればよい。例えば、球体を脱落不能に且つ回転自在に嵌合するようにしてもよく、この場合は、球体のテープフック側となる部位を任意に露出させる。
回転部材の長さや径も任意に選定すればよく、また、回転部材は複数配設してもよい。回転部材の形状は、テープ幅とほぼ同じ幅で且つ周回面が平坦なローラー状でもよいが、望ましくは、周回面が内方に湾曲するローラー状とするのがよい。すなわち、テープの短手方向とほぼ同じ形状である。勿論、周回面を外方に湾曲させたローラ状としてもよく、この形状とする場合は回転部材の長さを短くする際に適し、また、回転部材を複数配設する形態にも適する。
【００１２】
そして、回転部材は、テープの巻き取りによってテープ先端に設けられているフックすなわち係止片と係止して、テープがケース内へ引き込まれるのを防止するためのものでもある。従って、回転部材が有する緩衝性とは、テープ先端のフックが衝突した際にその衝突エネルギーを緩和や吸収するために有するもので、その緩和や吸収をすることができるようになっていればよい。その形態も、柔軟性や弾発性（弾性）を有する素材で形成したり、また、柔軟性や弾発性のない素材で形成された回転部材に何らかの機構等によって弾発動作ができるように構成してもよい。
【００１３】
回転部材の具体的な形態としては、緩衝性を有する素材で回転部材の一部または全部を形成したり、回転部材の周回面の一部または全部に緩衝性を有する素材を設けたり、回転部材の内部に緩衝性を有する素材を設けたりしてもよい。
また、回転部材が、円柱状の本体の両端面中央に突起また突出部を形成し、その突起また突出部をケースの受け部に遊嵌されるようになっているものであれば、その突起また突出部を緩衝性を有する素材で形成し、その突起また突出部をベアリングまたメタル等で回転自在に支持してもよい。
【００１４】
回転部材は交換できるように設けてもよい。その交換は所定の工具を用いて行えるようにするのが望ましい。具体的には、軸の周回方向に任意の幅の溝を形成し、その溝にＥリングを嵌着して回転部材の脱落を防止するようにしてもよい。勿論、他の好適な方法によって行ってもよい。
回転部材の端部に鍔を設けてもよく、鍔は、テープが回転部材に接触した際、テープの短手方向のガイドとなるようにテープ短手方向の端部より突出するように設けるのがよい。
【００１５】
さらには、回転部材をコイルスプリングから形成してもよい。すなわち、任意のコイルスプリングを回転自在にテープ出入口に配設する。そのコイルスプリングの形態も特に限定するものではなく通常の形態、すなわち、隣接するコイルがほぼ接触しているものでもよいが、フックの衝突エネルギーの緩衝効果を考慮すると隣接するコイルの間に任意の空間を設けたものが望ましい。その空間は巻尺の形態等を考慮して選定すればよい。また、コイルスプリングのコイルを形成する線材も好適なものを選定して用いればよい。
【００１６】
また、コイルスプリングの支持は、コイルスプリングが回転自在にテープの出入口に設置できればその設置形態を限定するものではなく、例えば、コイルスプリングの両端をケース部材に回転自在に支持された支持部材に係止したり、あるいは、コイルスプリングの中心を通過する回転自在に支持された支持部材に所定の部位を係止してもよく、この時、支持部材とコイルの間には任意の空間を設けるのがよい。
【００１７】
そして、コイルスプリングの形状も、コイルスプリングの長さやコイル径も任意に選定すればよく、また、コイルスプリングは複数配設してもよい。コイルスプリングの形状は、テープ幅とほぼ同じ幅で且つ全て同径のコイルでなるローラー状でもよいが、望ましくは、コイルスプリングの中央に向かってコイル径を小径とした内方に湾曲するローラー状とするのがよい。すなわち、テープの短手方向とほぼ同じ形状である。この内方に湾曲するローラー状とした場合で、且つコイルスプリングがその中心を通過する回転自在に支持された支持部材に所定の部位を係止した形態の時、支持部材の外周と最小径部のコイル内周は近接させるのがよい。また、接触させてもよい。
そして、コイルスプリング端部に鍔を設けてもよく、鍔は、テープが回転部材に接触した際、テープの短手方向のガイドとなるようにテープ短手方向の端部より突出するように設けるのがよい。また、鍔の代わりとして、コイルスプリング端部のコイルを、テープがコイルスプリングに接触した際にテープ短手方向の端部より突出する径としてもよい。
【００１８】
そして、回転部材に前述の鍔を設けていない場合は、第２の回転部材をテープの上方に設けてもよく、その際、第２の回転部材をテープ表面と接触できるようにし、また、接触した際に回転できるようにするのがよい。その第２の回転部材の長さや径も任意に選定すればよく、また、回転部材は複数配設してもよい。第２の回転部材の形状は、テープ幅とほぼ同じ幅で且つ周回面が平坦なローラー状でもよいが、望ましくは、周回面が外方に湾曲するローラー状とするのがよい。すなわち、テープの短手方向とほぼ同じ形状である。回転部材の長さを短くしてもよく、その場合は、１つの回転部材をテープの中央に（湾曲の最低部）に接触させるのがよい。また、回転部材は公的な位置に複数設けてもよい。テープとの接触は、当初からテープに接触する状態であっても、また、テープの進退移動の際に接触するものであってもよい。さらには、弾発的にテープ表面と接触させてもよい。
【００１９】
さらに、第３の回転部材をテープの側方に設けてもよく、その際、第３の回転部材をテープの長手方向の端部と接触できるようにし、また、接触した際に回転できるようにするのがよい。第３の回転部材はテープの片側だけに設けてもよいが、テープの両側に設けるのが望ましい。その第３の回転部材の長さや径も任意に選定すればよく、また、回転部材はテープの進退方向に複数配設してもよい。第３の回転部材の形状は周回面が平坦なローラー状でも、また、周回面が内方に湾曲するローラー状等、所望の形状にすればよい。
【００２０】
また、巻尺の所定の部位、具体的にはケースおよび／またはケース内に立設する軸をケースと同一の普通の樹脂素材によって成型してもよいが、摩擦抵抗を低減することができる金属または樹脂等の摩擦低減素材で形成してもよい。その摩擦低減素材も特に限定するものではなく、少なくとも普通に成型素材として用いられる樹脂素材より摺動等の摩擦を低減することができるものであればよい。
さらに、回転ドラムも摩擦低減素材で形成してもよく、さらには、軸および回転ドラムを摩擦低減素材で形成してもよい。
【００２１】
そして、巻尺の軸と回転ドラムとの間に金属または樹脂からなる摩擦低減手段を設けてもよく、また、回転ドラムとケース内壁との間に金属または樹脂からなる摩擦低減手段を設けてもよい。さらには、軸と回転ドラムとの間および回転ドラムとケース内壁との間に摩擦低減手段を設けてもよい。
軸と回転ドラムとの間に設けた（介在も含む）摩擦低減手段は、軸支される回転ドラムの回転時の軸との摩擦抵抗を減少させるために働くもので、その摩擦低減手段を構成（形成）するものは、摩擦低減として直接的に働く部材（形状も含む）または間接的に働く部材（形状も含む）を問わず、摩擦低減手段と解釈されるものである。また、その形態も単品からなる場合、あるいは、複数の部材が組み合わされてなる場合もある。その具体的なものとしては、ベアリング部材／メタル部材／突起または突条／球体等が上げられる。
【００２２】
回転ドラムとケース内壁との間に設けた（介在も含む）摩擦低減手段は、回転ドラムの回転時のケース内壁との摩擦抵抗を減少させるために働くもので、その摩擦低減手段を構成（形成）するものは、摩擦低減として直接的に働く部材（形状も含む）または間接的に働く部材（形状も含む）を問わず、摩擦低減手段と解釈されるものである。また、その形態も単品からなる場合、あるいは、複数の部材が組み合わされてなる場合もある。その具体的なものとしては、ベアリング部材／突起または突条／球体等が上げられる。
そして、上述する摩擦低減手段を用いることによってテープの巻き取りの際の抵抗が減少するため、テープを巻き取るための付勢手段すなわちコイル状の巻き取りバネに低トルクバネを用いることができる。
【００２３】
従って、本発明の巻尺は以上のように構成されているので、テープの引き出しまたは巻き取りの際、テープ裏面が回転部材と接触するとその回転部材はテープの走行速度でその走行方向に回転する。また、巻き取りの際、テープ先端フックが回転部材に係止される時すなわちテープ先端フックが回転部材に衝突すると回転部材が変形し、また元の形状に復帰する。この変形によって衝突エネルギーが緩和または吸収される。
また、回転部材に鍔、また、第２の回転部材を設けたものはテープの左右方向へのぶれがより防止される。さらには、第３の回転部材を設けたものはテープの上下方向へのぶれが防止される。テープの走行安定性が確保できる。
【００２４】
回転部材が全て同径のコイルからなるコイルスプリングは、テープの引き出しまたは巻き取りの際、テープ裏面がコイルスプリングと接触するとそのコイルスプリングはテープの走行速度でその走行方向に回転する。また、巻き取りの際、テープ先端フックがコイルスプリングに係止される時すなわちテープ先端フックがコイルスプリングに衝突するとコイルスプリングが変形し、また元の形状に復帰する。この変形によって衝突エネルギーが緩和または吸収される。
【００２５】
そして、コイルスプリングが、テープ裏面の短手方向とほぼ同じ形状のすなわちコイルスプリングの中央に向かってコイル径を小径とした内方に湾曲するものは、勿論、テープの引き出しまたは巻き取りの際、テープ裏面がコイルスプリングと接触するとそのコイルスプリングはテープの走行速度でその走行方向に回転するが、コイルスプリングの形状からテープとの接地性が高く、接触の際より早くテープの走行速度に達する。すなわち追従性がよい。
また、巻き取りの際、テープ先端フックがコイルスプリングに係止される時すなわちテープ先端フックがコイルスプリングに衝突するとコイルスプリングが変形し、また元の形状に復帰するが、この変形は、フックが当初コイルスプリングの両端に衝突し、その両端のコイルが変形し、さらにその衝突はコイルスプリングの中央のコイルに向かって衝突していき且つコイルは順番に変形していく。この順に変形することによって衝突の際にフックに加わる衝突エネルギーを低減できる。衝突エネルギーは順に緩和または吸収される。
【発明の効果】
【００２６】
本発明の巻尺は以上のように構成されているので、テープのケース内からの引き出しやケース内への巻き取りの毎に発生していた摺動をなくすことができる。
従って、テープの損傷すなわちテープ面を覆っている被覆の損傷を防止することができるので、その被覆の損傷が元となって発生していた目盛りの薄化を防止することができる。これにより、テープの耐用年数を飛躍的に延長することができ、ユーザーにしてみれば巻尺の買い替えサイクルが延長されて経費の節約に繋がる。また、別の視点から見れば廃棄物の低減に繋がるので、環境に優しい極めて優れた商品とすることができる。
また、回転部材が衝撃緩衝装置を兼用しているので、巻尺の製造においては、組み立て工程数の低減と共に組み立て不良の低減にも繋がり、従って、生産性と共に歩留率の向上に優れた効果を発揮するものである。
【発明を実施するための最良の形態】
【００２７】
本発明の巻尺を以下図面に従って説明すると、図１は、本発明に係わる巻尺の半ケースを取り除いた側面図であり、１は巻尺のケースで、１ａはケースに立設された軸、１ｂは軸１ａに支持されている回転ドラム、１ｃは回転ドラム１ｂに内装されたテープ１ｄを巻き取るためのコイルバネ、１ｄは任意の目盛りが表示された測定用のテープ、１ｅはフックで、フック１ｅは被測定物へ引っ掛けたりまたはテープ１ｄのケース１内への引き込まれを防止する。１ｆはテープ１ｄが出入するテープ出入口、２は回転部材である弾性体で、テープ出入口１ｆに設けられてテープ１ｄの巻き取りの際にフック１ｅが係止される。
【００２８】
図２は、テープ出入口の拡大正面図であり、（ａ）図は、回転部材が弾性体２からなるものを示す。（ｂ）図は、回転部材がコイルスプリング３からなるものを示す。また、１ｆはテープ出入口、４は弾性体２、コイルスプリング３を支持している軸である。
【００２９】
図３は、回転部材の一例を示す正面図であり、本図は、回転部材が弾性体２からなり、また、弾性体２の周面がテープ１ｄ裏面の湾曲とほぼ同じ形状に形成したものである。４は弾性体２を支持する軸である。
図４は、図３の回転部材の他の形態を示す正面図であり、本図は、テープ１ｄの横振れを防止するための形態である。（ａ）図は、弾性体２の両端に鍔５を設けたもので、この鍔５によってテープ１ｄの横振れが防止される。（ｂ）図は、弾性体２の両端をその遠心方向に突出させた突出端６としたもので、この突出端６によってテープ１ｄの横振れが防止される。
【００３０】
図５は、回転部材の一例を示す正面図であり、本図は、回転部材がコイルスプリング３からなり、また、コイルスプリング３の長手方向をテープ１ｄ裏面の湾曲とほぼ同じ形状に形成したものである。４はコイルスプリング３を支持する軸である。
図６は、図５の回転部材の他の形態を示す正面図であり、本図は、テープ１ｄの横振れを防止するための形態である。（ａ）図は、コイルスプリング３の両端に鍔５を設けたもので、この鍔５によってテープ１ｄの横振れが防止される。（ｂ）図は、コイルスプリング３の両端のコイルをその遠心方向に突出させた突出コイル７としたもので、この突出コイル７によってテープ１ｄの横振れが防止される。
【００３１】
図７は、回転部材の一例を示す正面図であり、本図は、回転部材が弾性体２からなり、また、弾性体２の周面を平坦な形状に形成してテープ１ｄ裏面と点接触させたものである。４は弾性体２を支持する軸である。
図８は、図７の回転部材の他の形態を示す正面図であり、本図は、テープ１ｄの横振れを防止するための形態で、弾性体２の両端に鍔５を設けたものであってこの鍔５によってテープ１ｄの横振れが防止される。
【００３２】
図９は、回転部材の一例を示す正面図であり、本図は、回転部材が弾性体２からなり、また、弾性体２の周面を両端から中央に向かって内方に傾斜する傾斜面とその傾斜面の間に平坦面を組み入れた形状に形成してテープ１ｄ裏面と点接触（３点）させたものである。４は弾性体２を支持する軸である。
図１０は、図９の回転部材の他の形態を示す正面図であり、本図は、テープ１ｄの横振れを防止するための形態で、弾性体２の両端に鍔５を設けたものであってこの鍔５によってテープ１ｄの横振れが防止される。
【００３３】
図１１は、回転部材の一例を示す正面図であり、本図は、回転部材が弾性体２からなり、また、弾性体２に突出部２ａを設けてテープ１ｄ裏面と３箇所で接触させたものである。４は弾性体２を支持する軸である。突出部２ａは別部材であってもよく、また、突出部２ａは弾性を有しない部材でもよい。さらには、突出部２ａだけを弾性を有する部材にしてもよい。４は弾性体２を支持する軸である。
図１２は、図１１の回転部材の他の形態を示す正面図であり、本図は、テープ１ｄの横振れを防止するための形態で、弾性体２の両端に鍔５を設けたものであってこの鍔５によってテープ１ｄの横振れが防止される。
【００３４】
図１３は、回転部材の一例を示す正面図であり、本図は、回転部材が弾性体２からなり、また、弾性体２に突出部２ａを設けてテープ１ｄの裏面とを複数の接触箇所（接触点も含む）で接触させたものである。４は弾性体２を支持する軸である。突出部２ａは別部材であってもよく、また、突出部２ａは弾性を有しない部材でもよい。さらには、突出部２ａだけを弾性を有する部材にしてもよい。４は弾性体２を支持する軸である。
図１４は、図１３の回転部材の他の形態を示す正面図であり、本図は、テープ１ｄの横振れを防止するための形態で、弾性体２の両端に鍔５を設けたものであってこの鍔５によってテープ１ｄの横振れが防止される。
【００３５】
図１５は、回転部材の衝撃吸収動作を示す図であり、本図は、回転部材が弾性体２からなるものである。また、テープ１ｄを上方から見ている図であり、巻尺のケース１は省略している。４は弾性体２を支持する軸である。（ａ）図は、テープ１ｄが巻き取られているところを示す。（ｂ）図は、テープ１ｄ先端のフック１ｅが弾性体２に衝突した時を示すものであり、先ずフック１ｅは弾性体２の両端に衝突し、弾性体２はその両端が緩衝動作のため変形（潰れ）する。（ｃ）図は、フック１ｅの衝突エネルギーをさらに緩衝（吸収）するため、弾性体２はその変形（潰れ）が進行する。その弾性体２は、両端から順に変形（潰れ）して行きながらフック１ｅの衝突エネルギーを緩衝（吸収）して行く。
【００３６】
図１６は、回転部材の衝撃吸収動作を示す図であり、本図は、回転部材がコイルスプリング３からなるものである。また、テープ１ｄを上方から見ている図であり、巻尺のケース１は省略している。４はコイルスプリング３を支持する軸である。（ａ）図は、テープ１ｄが巻き取られているところを示す。（ｂ）図は、テープ１ｄ先端のフック１ｅがコイルスプリング３に衝突した時を示すものであり、先ずフック１ｅはコイルスプリング３の両端のコイルに衝突し、コイルスプリング３はその両端が緩衝動作のため変形（後方圧動）する。（ｃ）図は、フック１ｅの衝突エネルギーをさらに緩衝（吸収）するため、コイルスプリング３はその変形（後方圧動）が進行する。そのコイルスプリング３は、両端のコイルから順に変形（後方圧動）して行きながらフック１ｅの衝突エネルギーを緩衝（吸収）して行く。
【００３７】
図１７は、他の形態の巻尺を示すテープ出入口の拡大正面図であり、本図は、テープ１ｄの横振れを防止するための形態を示し、また、回転部材が弾性体２からなるものである。１ｄはテープ、１ｆはテープ出入口、４は弾性体２を支持する軸である。また、フック１ｅは省略している。（ａ）図は、弾性体２の両端上方にローラー８を配設したものを示す。（ｂ）図は、弾性体２の中央上方にローラー９を配設したものを示す。また、図示はしていないが、ローラー９はテープ１ｄの表面に弾発的に接触させてもよい。（ｃ）図は、弾性体２の両端上方にローラー８を、また、弾性体２の中央上方にローラー９を配設したものを示す。
【００３８】
図１８は、他の形態の巻尺を示すテープ出入口の拡大正面図であり、本図は、テープ１ｄの横振れを防止するための形態を示し、また、回転部材がコイルスプリング３からなるものである。１ｄはテープ、１ｆはテープ出入口、４は弾性体２を支持する軸である。また、フック１ｅは省略している。（ａ）図は、コイルスプリング３の両端上方にローラー８を配設したものを示す。（ｂ）図は、コイルスプリング３の中央上方にローラー９を配設したものを示す。また、図示はしていないが、ローラー９はテープ１ｄの表面に弾発的に接触させてもよい。（ｃ）図は、コイルスプリング３の両端上方にローラー８を、また、コイルスプリング３の中央上方にローラー９を配設したものを示す。
【００３９】
図１９は、回転部材の衝撃吸収構造の一例を示す断面図であり、２は弾性体、２ｂは弾性体２の内部に設けられた通孔、４は弾性体２を支持する軸、１０は軸４に嵌着されたバネである。テープ１ｄの巻き取りによってフック１ｅ（図示なし）が弾性体２に衝突すると、バネ１０が変形（潰れ）して行きながらフック１ｅの衝突エネルギーを緩衝（吸収）して行く。
【００４０】
図２０は、回転部材の衝撃吸収構造の一例を示す図であり、２は弾性体、４は弾性体２を支持する軸、１１は緩衝体、１２はベアリング、１２ａはベアリング１２の外輪体、１２ｂはベアリング１２の内輪体である。テープ１ｄの巻き取りによってフック１ｅ（図示なし）が弾性体２に衝突すると、緩衝体１１が変形（潰れ）して行きながらフック１ｅの衝突エネルギーを緩衝（吸収）して行く。
【００４１】
図２１は、回転部材の着脱構造の一例を示すテープ出入口の一部切欠拡大正面図であり、１ｄはテープ、１ｆはテープ出入口、４ａは弾性体２を支持する軸、４ｂは軸４ａに嵌着された抜止めとなるＥリング、１３はカバーである。
【００４２】
図２２および図２３は、摩擦低減手段を備えた巻尺を示す断面図であり、１は巻尺のケースで、そのケース１の軸基部１ｇに軸１ａが立設され、その軸１ａに回転ドラム１ｂがされており、その回転ドラム１ｂに内装されたコイルバネ１ｃの端部の一方が軸１ａに、また、他方が回転ドラム１ｂまたはテープ１ｄに係止される。１ｄはテープで回転ドラム１ｂの巻胴部に巻き回される。
図２２の巻尺は、摩擦低減手段となるベアリング１４が軸基部１ｇと回転ドラム１ｂの間に設けられている。
図２３の巻尺は、摩擦低減手段となるベアリング１５が回転ドラム１ｂとケース１内壁の間に設けられている。
図２４は、図２２および図２３の摩擦低減手段を備えた巻尺を示す断面図であり、擦低減手段となるベアリング１４およびベアリング１５が、それぞれ軸基部１ｇと回転ドラム１ｂの間および回転ドラム１ｂとケース１内壁の間に設けられている。
【図面の簡単な説明】
【００４３】
【図１】本発明に係わる巻尺の半ケースを取り除いた側面図
【図２】テープ出入口の拡大正面図
【図３】回転部材の一例を示す正面図
【図４】図３の回転部材の他の形態を示す正面図
【図５】回転部材の一例を示す正面図
【図６】図５の回転部材の他の形態を示す正面図
【図７】回転部材の一例を示す正面図
【図８】図７の回転部材の他の形態を示す正面図
【図９】回転部材の一例を示す正面図
【図１０】図９の回転部材の他の形態を示す正面図
【図１１】回転部材の一例を示す正面図
【図１２】図１１の回転部材の他の形態を示す正面図
【図１３】回転部材の一例を示す正面図
【図１４】図１３の回転部材の他の形態を示す正面図
【図１５】回転部材の衝撃吸収動作を示す図
【図１６】回転部材の衝撃吸収動作を示す図
【図１７】他の形態の巻尺を示すテープ出入口の拡大正面図
【図１８】他の形態の巻尺を示すテープ出入口の拡大正面図
【図１９】回転部材の衝撃吸収構造の一例を示す断面図
【図２０】回転部材の衝撃吸収構造の一例を示す図
【図２１】回転部材の着脱構造の一例を示すテープ出入口の一部切欠拡大正面            図
【図２２】摩擦低減手段を備えた巻尺を示す断面図
【図２３】摩擦低減手段を備えた巻尺を示す断面図
【図２４】図２２および図２３の摩擦低減手段を備えた巻尺を示す断面図
【符号の説明】
【００４４】
１−ケース，１ａ−軸，１ｂ−回転ドラム，１ｃ−コイルバネ，１ｄ−テープ，１ｅ−フック，１ｆ−テープ出入口，１ｇ−軸基部，２−弾性体，２ａ−突出部，２ｂ−通孔，３−コイルスプリング，４−軸，４ａ−軸，４ｂ−Ｅリング，５−鍔，６−突出端，７−突出コイル，８−ローラー，９−ローラー，１０−バネ，１１−緩衝体，１２−ベアリング、１２ａ−外輪体，１２ｂ−内輪体，１３−カバー、１４−ベアリング，１５−ベアリング
【図１】
2007003466.tif 000003
【図２】
2007003466.tif 000004
【図３】
2007003466.tif 000005
【図４】
2007003466.tif 000006
【図５】
2007003466.tif 000007
【図６】
2007003466.tif 000008
【図７】
2007003466.tif 000009
【図８】
2007003466.tif 000010
【図９】
2007003466.tif 000011
【図１０】
2007003466.tif 000012
【図１１】
2007003466.tif 000013
【図１２】
2007003466.tif 000014
【図１３】
2007003466.tif 000015
【図１４】
2007003466.tif 000016
【図１５】
2007003466.tif 000017
【図１６】
2007003466.tif 000018
【図１７】
2007003466.tif 000019
【図１８】
2007003466.tif 000020
【図１９】
2007003466.tif 000021
【図２０】
2007003466.tif 000022
【図２１】
2007003466.tif 000023
【図２２】
2007003466.tif 000024
【図２３】
2007003466.tif 000025
【図２４】
2007003466.tif 000026